【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
画像に関する内容を記述した情報ファイルが前記画像とともに記録された記録媒体から前記情報ファイルの内容を読み取って前記画像に対する処理を行う画像処理装置において、
前記記録媒体に格納された複数の情報ファイルを読み込む読込手段と、
前記読み込まれた複数の情報ファイルを特定する特定手段と、
前記特定された情報ファイルに従って、前記画像を処理する処理手段とを備えた事を特徴とする画像処理装置。
【請求項２】
前記情報ファイルにファイル名を付けるファイル名付与手段と、
前記ファイル名が付けられた情報ファイルを一覧表示する一覧表示手段とを備えた事を特徴とする請求項１記載の画像処理装置。
【請求項３】
前記情報ファイルを特定するために必要な情報を表示する特定情報表示手段と、
前記表示された情報に基づいて前記情報ファイルを特定するファイル特定手段とを備えた事を特徴とする請求項１または請求項２記載の画像処理装置。
【請求項４】
前記情報ファイルの記述により指定された画像に関する詳細な情報を表示する詳細情報表示手段を備えた事を特徴とする請求項１記載の画像処理装置。
【請求項５】
複数の前記情報ファイルの記述により指定された画像を一括して処理するための指示を行う一括指示手段を備え、
前記処理手段は、前記指定された画像を一括して処理する事を特徴とする請求項１記載の画像処理装置。
【請求項６】
前記詳細な情報表示に従って、前記画像を特定する画像特定手段と、
前記特定された画像を直接処理する直接処理手段とを備えた事を特徴とする請求項４記載の画像処理装置。
【請求項７】
画像に関する内容を記述した情報ファイルが前記画像とともに記録された記録媒体から前記情報ファイルの内容を読み取って前記画像に対する処理を行う画像処理方法において、
前記記録媒体に格納された複数の情報ファイルを読み込む工程と、
前記読み込まれた複数の情報ファイルを特定する工程と、
前記特定された情報ファイルに従って、前記画像を処理する工程とを有する事を特徴とする画像処理方法。
【請求項８】
画像に関する内容を記述した情報ファイルが前記画像とともに記録された記録媒体から前記情報ファイルの内容を読み取って前記画像に対する処理を行う、コンピュータにより実行可能なプログラムにおいて、
前記記録媒体に格納された複数の情報ファイルを読み込む手順と、
前記読み込まれた複数の情報ファイルを特定する手順と、
前記特定された情報ファイルに従って、前記画像を処理する手順とを含む画像処理方法をコンピュータに実行させる事を特徴とするプログラム。
【請求項９】
前記請求項８に記載のコンピュータにより実行可能なプログラムを記録した事を特徴とするコンピュータに読み取り可能な記憶媒体。
【請求項１０】
画像に関する内容を記述した情報ファイルが前記画像とともに記録された記録媒体から前記情報ファイルの内容を読み取って前記画像に対する処理を行う画像処理装置において、前記記録媒体に格納された複数の情報ファイルを読み込む読込手段と、前記読み込まれた複数の情報ファイルを特定する特定手段と、任意の処理を指定する処理指定手段と、前記特定された情報ファイルで指定された前記画像に前記指定された処理をする処理手段とを備えた事を特徴とする画像処理装置。
【請求項１１】
前記情報ファイルの記述により指定された画像に関する詳細な情報を表示する詳細情報表示手段と、前記詳細な情報表示に従って、前記画像を特定する画像特定手段と、前記特定された画像に前記指定した処理をする指定処理手段とを備えた事を特徴とする請求項１０記載の画像処理装置。
【請求項１２】
画像に関する内容を記述した情報ファイルが前記画像とともに記録された記録媒体から前記情報ファイルの内容を読み取って前記画像に対する処理を行う画像処理方法において、前記記録媒体に格納された複数の情報ファイルを読み込む工程と、前記読み込まれた複数の情報ファイルを特定する工程と、任意の処理を指定する工程と、前記特定された情報ファイルで指定された前記画像に前記指定された処理をする工程とを有する事を特徴とする画像処理方法。
【請求項１３】
画像に関する内容を記述した情報ファイルが前記画像とともに記録された記録媒体から前記情報ファイルの内容を読み取って前記画像に対する処理を行う、コンピュータにより実行可能なプログラムにおいて、前記記録媒体に格納された複数の情報ファイルを読み込む手順と、前記読み込まれた複数の情報ファイルを特定する手順と、任意の処理を指定する手順と、前記特定された情報ファイルで指定された前記画像に前記指定された処理をする手順とを含む画像処理方法をコンピュータに実行させる事を特徴とするプログラム。
【請求項１４】
前記請求項１３に記載のコンピュータにより実行可能なプログラムを記録した事を特徴とするコンピュータに読み取り可能な記憶媒体。
【手続補正２】
【補正対象書類名】明細書
【補正対象項目名】００１１
【補正方法】変更
【補正の内容】
【００１１】
【課題を解決するための手段】
上記目的を達成するために、本発明の請求項１に記載の画像処理装置は、画像に関する内容を記述した情報ファイルが前記画像とともに記録された記録媒体から前記情報ファイルの内容を読み取って前記画像に対する処理を行う画像処理装置において、前記記録媒体に格納された複数の情報ファイルを読み込む読込手段と、前記読み込まれた複数の情報ファイルを特定する特定手段と、前記特定された情報ファイルに従って、前記画像を処理する処理手段とを備えたことを特徴とする。
【手続補正３】
【補正対象書類名】明細書
【補正対象項目名】００１２
【補正方法】変更
【補正の内容】
【００１２】
請求項７に記載の画像処理方法は、画像に関する内容を記述した情報ファイルが前記画像とともに記録された記録媒体から前記情報ファイルの内容を読み取って前記画像に対する処理を行う画像処理方法において、前記記録媒体に格納された複数の情報ファイルを読み込む工程と、前記読み込まれた複数の情報ファイルを特定する工程と、前記特定された情報ファイルに従って、前記画像を処理する工程とを有する事を特徴とする。
【手続補正４】
【補正対象書類名】明細書
【補正対象項目名】００１３
【補正方法】変更
【補正の内容】
【００１３】
請求項８に記載のコンピュータにより実行可能なプログラムは、画像に関する内容を記述した情報ファイルが前記画像とともに記録された記録媒体から前記情報ファイルの内容を読み取って前記画像に対する処理を行う、コンピュータにより読み取り可能なプログラムにおいて、前記記録媒体に格納された複数の情報ファイルを読み込む手順と、前記読み込まれた複数の情報ファイルを特定する手順と、前記特定された情報ファイルに従って、前記画像を処理する手順とを含む事を特徴とする。
【手続補正５】
【補正対象書類名】明細書
【補正対象項目名】００１４
【補正方法】変更
【補正の内容】
【００１４】
請求項９に記載の記憶媒体は、コンピュータに読み取り可能なプログラムが格納された記憶媒体において、請求項８に係るコンピュータにより実行可能なプログラムを記録した事を特徴とする。
【手続補正６】
【補正対象書類名】明細書
【補正対象項目名】００１５
【補正方法】変更
【補正の内容】
【００１５】
請求項１０に記載の画像処理装置は、画像に関する内容を記述した情報ファイルが前記画像とともに記録された記録媒体から前記情報ファイルの内容を読み取って前記画像に対する処理を行う画像処理装置において、前記記録媒体に格納された複数の情報ファイルを読み込む読込手段と、前記読み込まれた複数の情報ファイルを特定する特定手段と、任意の処理を指定する処理指定手段と、前記特定された情報ファイルで指定された前記画像に前記指定された処理をする処理手段とを備えた事を特徴とする。
【手続補正７】
【補正対象書類名】明細書
【補正対象項目名】００１６
【補正方法】変更
【補正の内容】
【００１６】
請求項１２に記載の画像処理方法は、画像に関する内容を記述した情報ファイルが前記画像とともに記録された記録媒体から前記情報ファイルの内容を読み取って前記画像に対する処理を行う画像処理方法において、前記記録媒体に格納された複数の情報ファイルを読み込む工程と、前記読み込まれた複数の情報ファイルを特定する工程と、任意の処理を指定する工程と、前記特定された情報ファイルで指定された前記画像に前記指定された処理をする工程とを有する事を特徴とする。
【手続補正８】
【補正対象書類名】明細書
【補正対象項目名】００１７
【補正方法】変更
【補正の内容】
【００１７】
請求項１３に記載のコンピュータにより実行可能なプログラムは、画像に関する内容を記述した情報ファイルが前記画像とともに記録された記録媒体から前記情報ファイルの内容を読み取って前記画像に対する処理を行う、コンピュータにより読み取り可能なプログラムにおいて、前記記録媒体に格納された複数の情報ファイルを読み込む手順と、前記読み込まれた複数の情報ファイルを特定する手順と、任意の処理を指定する手順と、前記特定された情報ファイルで指定された前記画像に前記指定された処理をする手順とを含む事を特徴とする。
【手続補正９】
【補正対象書類名】明細書
【補正対象項目名】００１８
【補正方法】変更
【補正の内容】
【００１８】
請求項１４に記載の記憶媒体は、コンピュータに読み取り可能なプログラムが格納された記憶媒体において、請求項１３に係るコンピュータにより実行可能なプログラムを記録した事を特徴とする。
【手続補正１０】
【補正対象書類名】明細書
【補正対象項目名】００６９
【補正方法】変更
【補正の内容】
【００６９】
さらに、特定した全てのＤＰＯＦファイルに対し、ＤＰＯＦファイル中の記述により指定されている全ての電子写真画像を対象として、指定された処理あるいは必要に応じた処理を一括して実行することができる。
【手続補正１１】
【補正対象書類名】明細書
【補正対象項目名】００７２
【補正方法】変更
【補正の内容】
【００７２】
また、特定した電子写真画像に対して指定された処理あるいは必要に応じた処理を実行することができる。